(57)【特許請求の範囲】
【請求項１】
キャビネット（２）上に蓋体（４）を回動自在に設け、蓋体（４）の閉じ状態を保つロック機構（５）と、蓋体（４）の閉じ状態を検出するスイッチ（ＳＷ）を具え、ロック機構（５）はキャビネット（２）又は蓋体（４）の一方上にて他方へ係合する向きにバネ付勢されたスライド片（５０）を有し、
キャビネット（２）又は蓋体（４）には、スライド片（５０）をバネ付勢に抗して係止する引掛片（８）、及び蓋体（４）の閉じ状態にて引掛片（８）とスライド片（５０）との係合を外す解除機構が設けられ、スイッチ（ＳＷ）は、スライド片（５０）のバネ付勢方向の移行路終端に設けられ、蓋体（４）の閉じ状態にて、引掛片（８）との係合が解除されてキャビネット（２）又は蓋体（４）と係合する向きに移動するスライド片（５０）が、スイッチ（ＳＷ）を操作する記録又は再生装置に於いて、
引掛片（８）はスライド片（５０）との係合が外れる向きに撓み変形可能であり、
引掛片（８）上にてスライド片（５０）との係合部には、スライド片（５０）のバネ付勢方向と反対方向に延びて、スライド片（５０）との不用意な係合外れを防ぐ係り突起（８３）が設けられ、該係り突起（８３）とスライド片（５０）の係り代Ｈは、スライド片（５０）の移動量よりも小さく形成されたことを特徴とする記録又は再生装置。
【請求項２】
蓋体（４）にはカートリッジ（６）が挿入されるホルダ（３）が連繋し、キャビネット（２）にはピックアップ（１０）を設けたシャーシ（１）が配備される請求項１に記載の記録又は再生装置。
【発明の詳細な説明】
【０００１】
【発明の属する技術分野】
本発明は、蓋体を具えた記録又は再生装置に関し、具体的にはカートリッジに収納されたディスクへの信号記録又は再生装置に関するものである。
【０００２】
【従来の技術】
従来から、図４に示すように、記録媒体であるディスク（６０）を収納したカートリッジ（６）が提案されている。カートリッジ（６）は扁平な矩形状であり、上面にシャッタ（６１）がスライド自在に取り付けられている。シャッタ（６１）はカートリッジ（６）の上面に形成された開口（６２）の露出と閉塞を切り替える。
図５は、該カートリッジ（６）内のディスク（６０）を介して信号を記録又は再生する装置の側面図である。上面が開口したキャビネット（２）には、蓋体（４）が枢支（４ａ）され、前記カートリッジ（６）は蓋体（４）に連結して開閉するホルダ（３）内に挿入される。キャビネット（２）内には、ピックアップ（１０）等を具えたシャーシ（１）が設けられ、シャーシ（１）上には先端に記録ヘッド（７０）を設けたヘッドレバー（７）が昇降可能に設けられている。ヘッドレバー（７）はホルダ（３）の上方に位置して昇降機構により駆動される。駆動機構の一例については後記する。カートリッジ（６）がホルダ（３）に挿入された状態にて、周知の如くシャッタ（６１）が開く。
図６は、蓋体（４）及びホルダ（３）が下降した状態の正面断面図である。蓋体（４）及びホルダ（３）が下降した閉じ状態にて、ピックアップ（１０）がディスク（６０）から信号を再生する。ホルダ（３）には透孔（３０）が開設されており、ヘッドレバー（７）が下降すると、記録ヘッド（７０）が透孔（３０）及び開口（６２）を通ってディスク（６０）に接して、信号が記録される。
【０００３】
仮に図５に示すホルダ（３）の開き状態にて、記録ヘッド（７０）がディスク（６０）に接すると、カートリッジ（６）を不用意にホルダ（３）から引き出した際に、記録ヘッド（７０）が開口（６２）の周縁に当たって破損する虞れがある。従って、斯種装置にあっては、蓋体（４）を閉じてロックしてから、記録ヘッド（７０）を下降させる。
図７（ａ）、（ｂ）乃至図８（ａ）、（ｂ）は、蓋体（４）をロックする機構（５）の正面図である。キャビネット（２）の前面には、爪片（５１）を上向きに設けたスライド片（５０）が左右に移動可能に設けられ、該スライド片（５０）はバネ（５２）により右向きに付勢されている。爪片（５１）は右側下向きに傾いた斜面（５３）を形成し、蓋体（４）にて爪片（５１）に対向する箇所には、第１押し片（４０）が設けられている。キャビネット（２）のスライド片（５０）の左方には押されてＯＮになるスイッチ（ＳＷ）が設けられており、蓋体（４）にてスイッチ（ＳＷ）に対向する箇所には、第２押し片（４１）が設けられている。
【０００４】
蓋体（４）を閉じると、図７（ｂ）に示すように第１押し片（４０）がスライド片（５０）の斜面（５３）に接する。該第１押し片（４０）は図８（ａ）に示すように、バネ（５２）に抗してスライド片（５０）を左向きに押す。第２押し片（４１）はスイッチ（ＳＷ）を押してＯＮにする。第１押し片（４０）が斜面（５１）を通過すると、図８（ｂ）に示すように、スライド片（５０）はバネ（５２）により右向きに戻される。爪片（５１）と第１押し片（４０）が係合し、蓋体（４）は閉じ状態にロックされる。図６に示すように、蓋体（４）に連結したホルダ（３）がシャーシ（１）に接近し、カートリッジ（６）がピックアップ（１０）に対向して、信号の再生が可能になる。スイッチ（ＳＷ）のＯＮ信号を受けて、駆動機構がヘッドレバー（７）を下降させ、信号の記録が可能になる。
【０００５】
【発明が解決しようとする課題】
蓋体（４）を閉じる途中にて、図８（ａ）に示すように、スイッチ（ＳＷ）がＯＮになっているにも係わらず、爪片（５１）と第１押し片（４０）が未だ係合していないことがある。この状態では、ヘッドレバー（７）が下降しているにも係わらず、蓋体（４）が未だロックされないから、ホルダ（３）が上昇可能である。従って、記録ヘッド（７０）が下降したままで、カートリッジ（６）が引き抜かれる虞れがあり、記録ヘッド（７０）の破損を招来する。
この場合、スイッチ（ＳＷ）を図８（ａ）に示す位置よりも稍下げた位置に取り付けて、蓋体（４）を確実にロックさせることも考えられるが、逆に蓋体（４）がロックしてもスイッチ（ＳＷ）が作動しない問題も起こりうる。
本発明の目的は、蓋体（４）の閉じ状態が検出されたにも拘わらず、蓋体（４）が不用意に開く虞れを防ぐことにある。
【０００６】
【課題を解決する為の手段】
キャビネット（２）又は蓋体（４）には、スライド片（５０）をバネ付勢に抗して係止する引掛片（８）、及び蓋体（４）の閉じ状態にて引掛片（８）とスライド片（５０）との係合を外す解除機構が設けられ、スイッチ（ＳＷ）は、スライド片（５０）のバネ付勢方向の移行路終端に設けられている。蓋体（４）の閉じ状態にて、引掛片（８）との係合が解除され、キャビネット（２）又は蓋体（４）と係合する向きに移動するスライド片（５０）が、スイッチ（ＳＷ）を操作する。
引掛片（８）はスライド片（５０）との係合が外れる向きに撓み変形可能である。
引掛片（８）上にてスライド片（５０）との係合部には、スライド片（５０）のバネ付勢方向と反対方向に延びて、スライド片（５０）との不用意な係合外れを防ぐ係り突起（８３）が設けられ、該係り突起（８３）とスライド片（５０）の係り代Ｈは、スライド片（５０）の移動量よりも小さく形成されている。
【０００７】
【作用及び効果】
蓋体（４）を閉じると、引掛片（８）とスライド片（５０）の係合が解除される。スライド片（５０）はバネ付勢された方向に移動して、キャビネット（２）又は蓋体（４）と係合する。スライド片（５０）は該移動によりスイッチ（ＳＷ）を操作して、蓋体（４）の閉じ状態が検出される。即ち、スライド片（５０）がキャビネット（２）又は蓋体（４）と係合し、蓋体（４）が閉じ状態にてロックされてから、蓋体（４）の閉じ状態が電気的に検出される。従って、スイッチ（ＳＷ）が操作されてから、蓋体（４）が不用意に開くことはなく、信号が正しく記録される。また、蓋体（４）がロックされたにも拘わらず、蓋体（４）の閉じ状態が電気的に検出されない虞れも防止できる。
また、突起（８３）を設けていることにより、スライド片（５０）が引掛片（８）に衝突した際に、引掛片（８）が撓んでも、スライド片（５０）と引掛片（８）との係合は外れない。該係り突起（８３）とスライド片（５０）の係り代Ｈは、スライド片（５０）の移動量よりも小さく形成されているから、スライド片（５０）と蓋体（４）の係合外れを邪魔しない。
【０００８】
【発明の実施の形態】
以下、本発明の一例を図を用いて詳述する。キャビネット（２）内にシャーシ（１）が設けられ、蓋体（４）にホルダ（３）が連繋している点は、従来と同様であり、詳細な説明を省く。本例にあっては、蓋体（４）の閉じ状態を検出する構成を特徴とする。
図１（ａ）、（ｂ）及び図２（ａ）、（ｂ）は、蓋体（４）とキャビネット（２）の正面図である。キャビネット（２）の前面には、スライド片（５０）が設けられ、該スライド片（５０）に開設された長孔（５４）（５４）がキャビネット（２）から突出した軸（２０）（２０）に嵌まって、スライド片（５０）は左右移動を案内される。スライド片（５０）は、図１（ａ）の左端部にて前向きに突出した係合板（５５）と、該係合板（５５）よりも右側に位置する爪片（５１）を一体に設けて、バネ（５２）により右向きに付勢されている。爪片（５１）は右側下向きに傾いた斜面（５３）を形成し、蓋体（４）にて爪片（５１）に対向する箇所には、第１押し片（４０）が設けられている。
キャビネット（２）のスライド片（５０）の左方には、引掛片（８）の基端部が取り付けられ、該引掛片（８）は基端部を中心として下向きに撓み変形可能な弾性板（８０）の自由端部に係り爪（８１）を、該係り爪（８１）から基端部側に突片（８２）を夫々設け、蓋体（４）にて突片（８２）に対向する箇所には、第２押し片（４１）が設けられている。キャビネット（２）上にてスライド片（５０）の移行路上には、アンビル（２９）が押されてＯＮになるスイッチ（ＳＷ）が設けられ、該スイッチ（ＳＷ）はスライド片（５０）が最も右側に移動した際にスライド片（５０）により押される。
【０００９】
蓋体の閉じ動作
図１（ａ）に示すように、蓋体（４）が開いた状態では、引掛片（８）の係り爪（８１）はスライド片（５０）の係合板（５５）に引掛かって、スライド片（５０）の右向き移動を規制している。
蓋体（４）を閉じると、図１（ｂ）に示すように、先ず第１押し片（４０）がスライド片（５０）の爪片（５１）の斜面（５３）に接する。スライド片（５０）はバネ（５２）に抗して左方に移動し、係合板（５５）と係り爪（８１）との当接が外れる。
次に、図２（ａ）に示すように、蓋体（４）の第２押し片（４１）が、引掛片（８）の突片（８２）を下向きに押す。引掛片（８）は基端部を中心に下向きに撓み、係り爪（８１）は係合板（５５）の移行路から外れて、スライド片（５０）は右向き移動を許される。図２（ｂ）に示すように、蓋体（４）の第１押し片（４０）が爪片（５１）を通過すると、スライド片（５０）は右向きに移動する。爪片（５１）は第１押し片（４０）に引掛かり、蓋体（４）は閉じ状態にてロックされる。この状態にて、スライド片（５０）はスイッチ（ＳＷ）のアンビル（２９）を押し、スイッチ（ＳＷ）はＯＮになる。
上記の如く、スライド片（５０）が右向きに移動して、爪片（５１）と蓋体（４）の第１押し片（４０）が係合してからスイッチ（ＳＷ）がＯＮになる。ヘッドレバー（７）はスイッチ（ＳＷ）の信号を受けて下降するから、ヘッドレバー（７）が下降してから、蓋体（４）が不用意に開く虞れはない。
【００１０】
駆動機構がヘッドレバー（７）を下降させると（図６参照）、記録ヘッド（７０）がカートリッジ（６）内のディスク（６０）に接し、信号の記録が可能になる。
駆動機構（９）には、種々の構成が考えられるが、例えば図９に示すように、ホルダ（３）上にモータ（Ｍ）を設け、該モータ（Ｍ）にギア列（９２）を介して連繋するカム片（９０）を配備する。カム片（９０）は山部（９１）を具え、ヘッドレバー（７）からはカム片（９０）に向かって上げ板（７１）が突出している。ヘッドレバー（７）は、シャーシ（１）から立設したブラケット（７２）に枢支（７３）され、枢支部（７３）にはヘッドレバー（７）を下向き付勢するネジリバネ（図示せず）が設けられている。
モータ（Ｍ）の駆動により、カム片（９０）が移動し、山部（９１）がヘッドレバー（７）の上げ板（７１）を押し上げれば、ヘッドレバー（７）の先端部に設けられた記録ヘッド（７０）はホルダ（３）から離れる。山部（９１）が上げ板（７１）から離れれば、記録ヘッド（７０）は下降する。従って、記録時にはカム片（９０）を移動させて、山部（９１）とヘッドレバー（７）の上げ板（７１）との当接を解除する。
【００１１】
蓋体の開き動作
図２（ｂ）に示す蓋体（４）の閉じ状態から蓋体（４）を開くには、バネ（５２）に抗してスライド片（５０）を手で左向きに押す。図２（ａ）に示すように、爪片（５１）と蓋体（４）の第１押し片（４０）との係合が外れる。蓋体（４）は開き可能状態となり、手で蓋体（４）を開くことができる。尚、蓋体（４）の枢支部に蓋体（４）を上向きに付勢するネジリバネ（図示せず）を設け、爪片（５１）と蓋体（４）との係合が外れたときに、蓋体（４）を自動的に開く構成としてもよい。
【００１２】
図３は、引掛片（８）の係り爪（８１）の拡大正面図である。係り爪（８１）は先端部に左向きに延びた係り突起（８３）を設けている。係り突起（８３）と係合板（５５）の係り代Ｈは、スライド片（５０）の移動ストロークよりも短く、スライド片（５０）と蓋体（４）の係合外れを邪魔しない。
蓋体（４）を開く際には、前記の如く、バネ（５２）に抗してスライド片（５０）を手で左向きに押すが、手を離すとバネ（５２）によりスライド片（５０）の係合板（５５）が引掛片（８）の係り爪（８１）に衝突する。この衝撃によって、引掛片（８）が下向きに撓むことがある。仮に係り突起（８３）が設けられていないと、スライド片（５０）の係合板（５５）と係り爪（８１）の係合が外れる虞れがある。即ち、引掛片（８）がスライド片（５０）を係止しない虞れがあるから、この虞れを防ぐために係り突起（８３）を設けている。
【００１３】
本例にあっては、スライド片（５０）、引掛片（８）、スイッチ（ＳＷ）をキャビネット（２）に設け、スライド片（５０）に係合する第１押し片（４０）を蓋体（４）に設けられているとしたが、第１押し片（４０）をキャビネット（２）に、スライド片（５０）、引掛片（８）、スイッチ（ＳＷ）を蓋体（４）に夫々設けてもよい。
【００１４】
上記実施例の説明は、本発明を説明するためのものであって、特許請求の範囲に記載の発明を限定し、或は範囲を減縮する様に解すべきではない。又、本発明の各部構成は上記実施例に限らず、特許請求の範囲に記載の技術的範囲内で種々の変形が可能であることは勿論である。
【図面の簡単な説明】
【図１】（ａ）、（ｂ）は、蓋体とキャビネットの正面図であり、（ａ）は蓋体の開き状態を、（ｂ）は蓋体を閉じる状態を示す。
【図２】（ａ）、（ｂ）は、蓋体とキャビネットの正面図であり、（ａ）は蓋体を閉じる状態を、（ｂ）は蓋体の閉じ状態を示す。
【図３】引掛片の係り爪の拡大正面図である。
【図４】カートリッジの斜視図である。
【図５】信号を記録又は再生する装置の側面図である。
【図６】蓋体及びホルダが下降した状態の正面断面図である。
【図７】（ａ）、（ｂ）は、従来の蓋体とキャビネットの正面図であり、（ａ）は蓋体の開き状態を、（ｂ）は蓋体を閉じる状態を示す。
【図８】（ａ）、（ｂ）は、従来の蓋体とキャビネットの正面図であり、（ａ）は蓋体を閉じる状態を、（ｂ）は蓋体の閉じ状態を示す。
【図９】駆動機構の斜視図である。
【符号の説明】
（１）    シャーシ
（２）    キャビネット
（３）    ホルダ
（４）    蓋体
（５）    ロック機構
（６）    カートリッジ
（８）    引掛片
（１０）    ピックアップ
（５０）    スライド片
（６０）    ディスク
（８３）    係り突起
【図１】
0003568433.tif 000002
【図２】
0003568433.tif 000003
【図３】
0003568433.tif 000004
【図４】
0003568433.tif 000005
【図５】
0003568433.tif 000006
【図６】
0003568433.tif 000007
【図７】
0003568433.tif 000008
【図８】
0003568433.tif 000009
【図９】
0003568433.tif 000010